(57)【要約】【課題】ペンクリップ上で絵柄を発光させ、ペンに斬新的かつユニークなデザインを加え、さらに広告宣伝の効果を発揮する。【解決手段】発光式ペンクリップ２０Ａは導電クリップ６と発光装置７とにより構成される。導電クリップ６は導電体６１、６２を有し、上部がボールペン１０の内側に導入されて電池セット３に接触可能に電子回路を構成される。発光装置７は発光体７３を有し、２つの導電金属端子７４、７５により第１及び第２の導電体６１、６２に接続される。ボールペン１０のスイッチにより電子回路を制御して発光装置７をコントロールする。【選択図】図３
0003122588.tif 000002
【実用新案登録請求の範囲】
【請求項１】
ペンに装着される導電クリップと、
前記導電クリップに設置される少なくとも１つの発光装置とを備え、
前記導電クリップは第１及び第２の導電体を有し、これら導電体は互いに接触されないで、それぞれ上部が前記ペンの内側に導入されて、前記ペンの内側に設置された電池セットのプラス極及びマイナス極と接触可能に電子回路を構成され、
前記発光装置は少なくとも１つの発光体を有し、この発光体は外部に設けられた２つの導電金属端子により前記第１及び第２の導電体に接続されて、
前記ペンに設けられ、前記第１及び第２の導電体と前記電池セットとの間の電子回路を制御するスイッチにより、前記発光装置の発光状態をコントロールすることを特徴とする発光式ペンクリップ。
【請求項２】
第１及び第２の導電体の下部は絶縁体で接続固定される請求項１に記載の発光式ペンクリップ。
【請求項３】
第１及び第２の導電体は絶縁ペンクリップの両側に接合されて、前記絶縁ペンクリップの上部がペンボディーに結合固定される請求項１に記載の発光式ペンクリップ。
【請求項４】
発光装置は、導電クリップに挟み掛けられたランプベースと、前記ランプベース上に設けられ、発光体が装着された回路用プリント基板とにより構成され、前記回路用基板の底面に２つの導電金属端子が設けられ、前記ランプベースを貫通して第１、第２の導電体に接触される請求項１に記載の発光式ペンクリップ。
【請求項５】
電池セットの上部は第２の導電体に接続されたスプリングで抑制される請求項１に記載の発光式ペンクリップ。
【請求項６】
第２の導電体の上部に絶縁キャップが装着され、ペンの上部ボディーと密着される請求項１に記載の発光式ペンクリップ。
【考案の詳細な説明】
【技術分野】
【０００１】
本考案は、発光式ペンクリップに関する。
【背景技術】
【０００２】
従来から発光式ペンが知られている。今までの発光式ペンでは、発光位置がペンのトップの他、上部、下部若しくは中央にあるものが多く、発光を制御するスイッチにはノック式スイッチの他、ペン側に付いているボタン式スイッチや、ペンの下部ボディー又は上部ボディーを回す方式などが採用されている（特許文献１参照）。
【特許文献１】実用新案登録第３０６７６９１号公報
【考案の開示】
【考案が解決しようとする課題】
【０００３】
ところで、従来の発光式ペンでは、発光部がペンのボディーに設けられたものばかりで、ペンクリップを発光させる形式は未だ開発を見ていない。とりわけ、ペンクリップに発光式絵柄を付けたものなど登場する由もない。
【０００４】
本考案は、このような従来の課題に鑑みなされたもので、ペンクリップ上で絵柄を発光させ、ペンに斬新的かつユニークなデザインを加え、さらに広告宣伝の効果を発揮する発光式ペンクリップを提供すること、を目的とする。
【課題を解決するための手段】
【０００５】
上記課題を解決するために、本考案の発光式ペンクリップは、一つの導電クリップ、最低一つの発光装置を備え、各部に次のような特徴を具備する。
【０００６】
導電クリップは互いに接触しない第一及び第二導電体を含み、これら二つの導電体の上部をそれぞれボールペンの内側に導入させ、電池セットのプラス及びマイナス極と接触できるようにする。この場合、互いに接触しない２つの導電体の下部を絶縁体で接続固定することが望ましい。また、互いに接触しない２つの導電体を絶縁ペンクリップの両側に挟み合せて、絶縁ペンクリップの上部とペンボディーを結合固定するようにしてもよい。いずれの形式でも、電池セットの上部をスプリングで抑制し、スプリングは第二導電体と接続されることが望ましい。さらに、第二導電体の上部にはボールペンの上部ボディーと密着した絶縁キャップを装着することが望ましい。
【０００７】
発光装置は導電クリップに設置する。発光装置の内部には最低一つの発光体を設け、外部は二つの導電金属端子を装着して、前述の二つの導電体と接触できるようにする。この場合、発光装置は、ペン・クリップの上に挟み掛けられたランプベース一つ、ランプベースに設けられた回路用プリント基板一つから構成され、回路用プリント基板には発光体が装着され、その底面には二つの導電金属端子がランプベースを貫通してプラス、マイナスの二つの導電体と接触されることが望ましい。
【０００８】
このようにしてボールペンに設けられたスイッチを用いて、その中のいずれの導電体と電池セットの間の電子回路を制御することで、発光装置の発光状態をコントロールする。
【考案の効果】
【０００９】
本考案の発光式ペンクリップは、上記構成により、導電クリップがプラス及びマイナスの互いに接触しない二つの導電体で、この導電クリップの上に発光装置が設置され、その二つの導電金属端子が二つの導電体と常に接触されるので、ペンに設けられたスイッチで電子回路を制御し、電池セットのプラス及びマイナスの電流を二つの導電体に同時に流すことにより、発光装置の発光体が発光する。逆に、スイッチの操作により電子回路を制御して、電池セットから第一導電体に電流を流さなければ、発光装置の発光体は発光しない。なお、導電クリップに、シングルレール、ダブルレールのいずれの形態を採用してもよく、いずれの形態でも、発光装置を導電クリップの上でスライドさせることができる。この場合、発光作用に何ら影響しない。よって、この発光式ペンクリップによれば、ペンクリップ上で絵柄を発光させ、ペンに斬新的かつユニークなデザインを加え、さらに広告宣伝の効果を発揮することができる。
【考案を実施するための最良の形態】
【００１０】
以下、本考案の実施の形態について図面を用いて説明する。図1乃至図７に本考案の第１の実施の形態を示している。図１において、１０はボールペン、２０Ａはこのボールペン１０の上部に組み合わせて取り付けられた発光式ペンクリップである。
【００１１】
ボールペン１０は、筆記機能部を構成する書き込み機構１と、この書き込み機構１に併せて設置され、発光式ペンクリップに電源を供給するための電池機構２とを備える。また、このボールペン１０の内側には、発光式ペンクリップ２０Ａのための電源スイッチを有する。この電源スイッチの形式は、ノック式、ペンボディー回転式、側面切替え式などが選択的に採用される。なお、ここでは、説明をわかりやすくするために、ペンボディー回転式の電源スイッチを例示する。
【００１２】
図２に示すように、書き込み機構１は、（ボールペン１０の）上部ボディー２１に対して回転可能な下部ボディー１１と、その内部に装着されたペン芯１２及びペン芯１２の昇降動作を行う昇降機構とを有する。なお、昇降機構はねじの進退運動を利用してペン芯の昇降をコントロールするもので、この方式は既存の技術なので、ここでは特に詳しい説明を省略する。電池機構２は、上部ボディー２１と、上部ボディー２１の内側に装着された電力感知機構２２とにより構成される。この場合、上部ボディー２１は金属管壁により形成される。電力感知機構２２は、数個の電池３１及びこれらの電池３１を直列に接続して保持する絶縁キャップ３２を有する電池セット３と、電池セット３の下位置に配置される反応スイッチ４と、これら電池セット３と反応スイッチ４とを一体的に上部ボディ２１に装着するための導電金属キャップ５とにより構成され、図３に示すように、電池セット３の底部で、電池３１の片側一方の電極、プラス極と反応スイッチ４が接し、反応スイッチ４の底部に制御ボタン４１を有し、この制御ボタン４１がペン芯１２の上部と対応している。昇降機構により、ペン芯１２が上昇されると、制御ボタン４１が圧迫されて反応スイッチ４が電池３１に導通し、電池３１のプラス電流が反応スイッチ４、導電金属キャップ５を経由して上部ボディー２１に流される。逆に、ペン芯１２が下降されると、制御ボタン４１は圧迫されないので、ショート状態が形成されて、プラス電流が上部ボディー２１に流れない。
【００１３】
図２に示すように、発光式ペンクリップ２０Ａは、一つの導電クリップ６と、最低一つの発光装置７とを備える。導電クリップ６は第１及び第２の導電体６１、６２から構成される。これら２つの導電体６１、６２は導電性を有する金属製の長い棒で、平行なダブルレールとして形成され、それぞれ互いに接触されないで、上部がボールペン１０の上部ボディー２１の内側まで延伸されて、その内側に導入され、電池セット３のプラス及びマイナスの二極と（電子回路を構成されて）接触される。この場合、第１の導電体６１の上部は、図３に示すように、金属管壁の上部ボディー２１と接触される。なお、この導電体６１の上部はさらに延伸されて、導電金属キャップ５に接続されてもよい。第２の導電体６２の上部は、上部ボディー２１の内側まで延びて電池３１の片側他方の電極、マイナス極と接触される。このとき、第２の導電体６２が上部ボディー２１（金属壁）と通電するのを防ぐために、第２の導電体６２の外縁部（外周部）に絶縁キャップ６３が設置され、第２の導電体６２と上部ボディー２１の金属管壁との接触が阻止される。また、別の手法として、絶縁キャップ６３をボールペン１０の絶縁上蓋２３の適当な箇所（例えば側壁）から差し込むことが可能である。また、電力感知機構２２が上下にがたつくのを防止するため、一つの金属スプリング６４が電池３１の上から密着するように装着され、第２の導電体６２はこのスプリング６４の上部に接続されて、電池３１と接触される。このスプリング６４の働きによって、電力感知機構２２はしっかりとバランスを保ち、上下にがたつくことがなく、電池３１と第２の導電体６２が確実に接続される。なお、２つの導電体６１、６２はペンクリップであり、これら導電体６１、６２の下部は上部ボディー２１と結合されることはない。また、これらの導電体６１、６２には適当な場所に絶縁体が設けられることが好ましく、この場合、図２に示すように、各導電体６１、６２の下部に絶縁体６５が跨って接続される。
【００１４】
発光装置７は導電クリップ６の上に設置される。この発光装置７の内部には、最低一つの発光体７３が設けられ、また外部には、図６及び図７に示すように、２つの導電金属端子７４、７５が設けられて、２つの導電体６１、６２と接触される。この場合、発光装置７は、図５及び図６に示すように、ランプベース７１及び回路用プリント基板７２から構成される。ランプベース７１は２つの導電金属端子７４、７５を通すための２つのホール７１１を有し、また、その両側に２つの導電体６１、６２を嵌入させるための嵌入溝７１２が設けられる。回路用プリント基板７２は発光体７３が取り付けられて、その表面に一枚のロゴマーク用光透過性樹脂板が設けられ、また底面に二つの導電金属端子７４、７５が設けられる。回路用プリント基板７２は、２つの導電金属端子７４、７５をランプベース７１の２つのホール７１１に通されて、ランプベース７１上に設置される。このようにして発光装置７は、ランプベース７１の各嵌入溝７１２に２つの導電体６１、６２を引っ掛けて装着される。２つの導電体６１、６２は、既述のとおり、平行なダブルレールになっているため、発光装置７は２つの導電体６１、６２上でスライド可能に取り付けられる。また、２つの導電体６１、６２の下部に絶縁体６５が接続されているので、これが発光装置７のストッパーとなり、導電クリップ６からの脱落が防止される。なお、ここでは、発光装置７を導電クリップ６にランプベース７１両側の各嵌入溝７１２に２つの導電体６１、６２を引っ掛けて設置したが、発光装置７は挟み掛け方式若しくは繋ぎ方式で設置することが可能である。
【００１５】
このようにして発光式ペンクリップ２０Ａは、ボールペン１０の中のペン芯を昇降する昇降機構によって作動する電源スイッチで、第１の導電体６１と電池セット３との間の電子回路を制御し、発光装置７の発光状態をコントロールする仕組みになっている。すなわち、ボールペン１０の下部ボディー１１又は上部ボディー２１を回転することにより、反応スイッチ４で電池セット３（電池３１のプラス極）と第１の導電体６１との間の電子回路が制御され、電池セット３に対して反応スイッチ４が接続され、通電されると、電池３１のプラス電流が反応スイッチ４を経由して第１の導電体６１まで流れ、電池３１のマイナス電流がスプリング６４を経由して第２の導電体６２に流れて（つまり、２つの導電体６１、６２に同時に電流を受けて）、発光装置７は発光する。逆に、電池セット３に対して反応スイッチ４が切り離されると、導電体６１、６２に電流が流れなくなり、発光装置７は発光しない。
【００１６】
次に、この発光式ペンクリップ２０Ａの使用方法について、図４を用いて具体的に説明する。ボールペン１０の下部ボディー１１を時計周りに回転させると、ペン芯１２は上昇して反応スイッチ４が電池セット３に接続されて導通し、電池３１のプラス電流は反応スイッチ４、導電金属キャップ５、及び金属上部ボディー２１を経由して第１の導電体６１まで流れ、また、第２の導電体６２は電池３１のマイナス極との接触により導通される。２つの導電体６１、６２及び２つの導電金属端子７４、７５（図６及び図７参照）は常に接触が保たれているので、回路用プリント基板７２にプラス及びマイナス電流が流れ、発光体７３が発光する。この場合、発光装置７は指で軽く押すだけでも導電クリップ６上をスライドし、移動中も発光を続ける。また逆に、下部ボディー１１を反時計回りに回転させると、ペン芯１２が下降して反応スイッチ４が電池セット３から切り離され、電池３１のプラス電流は第１の導電体６１に流れず、発光装置７は消灯される（発光しない）。
【００１７】
以上説明したように、この発光式ペンクリップ２０Ａは、導電クリップ６をプラス及びマイナスの互いに接触しない２つの導電体６１、６２により構成し、発光装置７を導電クリップ６の上に設置し、発光装置７に設けられた２つの導電金属端子７４、７５を２つの導電体６１、６２と常に接触する状態にして、ボールペン１０の内側の反応スイッチ４の操作により、導電クリップ６と電池セット３との間の電子回路を制御して、プラス及びマイナスの電流を２つの導電体６１、６２に同時に流すことにより、発光装置７の発光体７３を発光させ、逆に、第１の導電体６１に電流を流さないことにより、発光装置７の発光体７３を発光させないようにしたので、ペンクリップ（導電クリップ６）上で発光装置７や絵柄を発光させることにより、ペンクリップに斬新的でかつユニークなデザインを加えることができ、また、広告宣伝の効果を発揮することができる。
【００１８】
図８及び図９に第２の実施の形態を示している。この実施の形態でボールペン１０は第１の実施の形態と同じであるが、発光式ペンクリップ２０Ｂは第１の実施の形態と異なる構成を有している。この発光式ペンクリップ２０Ｂでは、導電クリップ６は互いに接触されない２つの導電体（長い導電金属片）６１、６２からなり、これらの導電体６１、６２が絶縁ペンクリップ６６の両側に挟み合せられた構造になっている。この場合、絶縁ペンクリップ６６の上部は上部ボディー２１と結合され、２つの導電体６１、６２は、第１の導電体６１の上部が金属上部ボディー２１と結合され、第２の導電体６２が上部ボディー２１の内側のスプリング６４に接続される。なお、第２の導電体６２の外縁部は絶縁キャップ６３を装着され、金属上部ボディー２１に接触しないようにしてある。このようにして導電クリップ６は発光装置７がスライドできるシングルレールとして構成され、また、導電クリップ６の下部に止め具６７が付けられて、発光装置７が導電クリップ６からの脱落を防止される。一方、発光装置７は底面にＬ形の固定具７６を２つ設置され、導電クリップ６の両側を挟むように取り付けられて、発光装置７は導電クリップ６上を円滑にスライド可能である。
【００１９】
このようにしても第１の実施の形態と同様の作用効果を奏することができる。
【００２０】
図１０に本考案の第３の実施の形態を示している。この実施の形態は、第１の実施の形態の変更例で、導電クリップ６に２つの発光装置７が設置され、導電クリップ６上で各発光装置７が発光し、またスライド可能な仕組みになっている。各部の構成は第１の実施の形態で説明したとおりである。このように導電クリップ６に複数の発光装置７を備えてもよく、このようにしても第１の実施の形態と同様の作用効果を奏することができる。
【００２１】
図１１に本考案の第４の実施の形態を示している。この実施の形態は、第２の実施の形態の変更例で、導電クリップ６に２つの発光装置７が設置され、導電クリップ６上で各発光装置７が発光し、またスライド可能な仕組みになっている。各部の構成は第２の実施の形態で説明したとおりである。このように導電クリップ６に複数の発光装置７を備えてもよく、このようにしても第１の実施の形態と同様の作用効果を奏することができる。
【００２２】
なお、上記各実施の形態では、反応スイッチ４の作動形式にペンボディー回転式を採用したが、反応スイッチ４を電池セット３の上部に設置し、ボールペン１０の頂点に周知のノック機構を設けて制御するノック式に代えてもよい。この電子回路を制御する方式は多種多様にあるので、適宜、任意の方式を採用すればよく、本願考案では電子回路のスイッチの種類を特に限定するものではない。
【００２３】
また、上記各実施の形態では、導電クリップ６をダブルレール又はシングルレールで構成しているが、いずれの形態を採用してもよく、いずれの形態でも、発光装置７を導電クリップ６の上でスライドさせることができ、発光作用に何ら影響することはない。
【００２４】
さらに、上記各実施の形態において、発光装置７は、ランプベース７１と発光体７３を結合させたものでも、また回路用プリント基板７２と発光体７３を結合させたものでもよく、ランプベース７１又は回路用プリント基板７２を導電クリップ６上に非固定のスライド方式で装着してもよく、また導電クリップ６上に固定してもよい。したがって、２つの導電金属端子７４、７５と２つの導電体６１、６２を接触させて、発光体７３を点滅させる機能（発光あるいは無発光の効果）を有する発光装置であれば、すべて本考案の技術の範疇に含まれるものである。
【００２５】
またさらに、上記各実施の形態において、発光体７３には、表面実装型発光ダイオード（ＳＭＤ  ＬＥＤ）、小型発光ダイオード（ＬＥＤ）、小型電球、光ファイバー等を利用することができる。発光装置７が発光した時に、表面のロゴマークを際立たせ、最も理想的な宣伝効果を発揮できるものを最適とする。さらに、回路用プリント基板７２に集積回路（ＩＣ）を追加することで、幾つかの発光体７３を点滅方式、時列方式、間欠方式もしくは快慢発光式等の発光方式に変化させることができる。
【図面の簡単な説明】
【００２６】
【図１】本考案の第１の実施の形態における発光式ペンクリップを備えたボールペンの斜視図
【図２】同発光式ペンクリップを備えたボールペンの分解斜視図
【図３】同発光式ペンクリップを備えたボールペンの（非動作時の）断面図
【図４】同発光式ペンクリップを備えたボールペンの動作時の断面図
【図５】同発光式ペンクリップの特に発光装置の分解斜視図（正面側）
【図６】同発光式ペンクリップの特に発光装置の分解斜視図（背面側）
【図７】同発光式ペンクリップを備えたボールペンの平面図
【図８】本考案の第２の実施の形態における発光式ペンクリップを備えたボールペンの斜視図
【図９】同発光式ペンクリップを備えたボールペンの分解斜視図
【図１０】本考案の第３の実施の形態における発光式ペンクリップを備えたボールペンの斜視図
【図１１】本考案の第４の実施の形態における発光式ペンクリップを備えたボールペンの斜視図
【符号の説明】
【００２７】
２０Ａ、２０Ｂ  発光式ペン・クリップ
１０  ボールペン
１  書き込み機構
１１  下部ボディー
１２  ペン芯
２  電池機構
２１  上部ボディー
２２  電力感知機構
２３  上蓋
３  電池セット
３１  電池
３２  絶縁キャップ
４  反応スイッチ
４１  制御ボタン
５  導電金属キャップ
６  導電クリップ
６１  第１の導電体
６２  第２の導電体
６３  絶縁キャップ
６４  スプリング
６５  絶縁体
６６  絶縁ペン・クリップ
６７  止め具
７  発光装置
７１  ランプベース
７１１  ホール
７１２  嵌入溝
７２  回路用プリント基板
７３  発光体
７４、７５  導電金属端子
７６  固定具
【図１】
0003122588.tif 000003
【図２】
0003122588.tif 000004
【図３】
0003122588.tif 000005
【図４】
0003122588.tif 000006
【図５】
0003122588.tif 000007
【図６】
0003122588.tif 000008
【図７】
0003122588.tif 000009
【図８】
0003122588.tif 000010
【図９】
0003122588.tif 000011
【図１０】
0003122588.tif 000012
【図１１】
0003122588.tif 000013